(57)【要約】【課題】光ディスク再生処理に適した光ディスクシステムの信号処理装置を提供する。【解決手段】アナログ信号処理部とデジタル信号処理部とを有した光ディスクシステムの信号処理装置において、前記アナログ信号処理部は、光ディスクから得られる再生処理を行うための光検出信号のレベルを、所定の基準レベルへと一致させるべく可変利得に基づいて増幅する利得可変増幅部を有しており、前記デジタル信号処理部は、前記利得可変増幅部により増幅された光検出信号をサンプリングしてＡ／Ｄ変換を行うＡ／Ｄ変換部と、前記Ａ／Ｄ変換後の光検出信号のレベルと前記基準レベルとの比較を行う比較部と、前記比較の結果に応じてカウンタクロックをもとにカウントアップ又はカウントダウンを行うカウンタによって構成され、前記カウンタのカウント値に基づいて前記可変利得を調整する利得調整部と、を有しており、前記Ａ／Ｄ変換におけるサンプリング周波数と前記カウンタクロックのクロック周波数の比率を可変させること、とする。【選択図】  図１
2006024272.tif 000002
【特許請求の範囲】
【請求項１】
アナログ信号処理部とデジタル信号処理部とを有した光ディスクシステムの信号処理装置において、
前記アナログ信号処理部は、
光ディスクから得られる再生処理を行うための光検出信号のレベルを、所定の基準レベルへと一致させるべく可変利得に基づいて増幅する利得可変増幅部を有しており、
前記デジタル信号処理部は、
前記利得可変増幅部により増幅された光検出信号をサンプリングしてＡ／Ｄ変換を行うＡ／Ｄ変換部と、
前記Ａ／Ｄ変換後の光検出信号のレベルと前記基準レベルとの比較を行う比較部と、
前記比較の結果に応じてカウンタクロックをもとにカウントアップ又はカウントダウンを行うカウンタによって構成され、前記カウンタのカウント値に基づいて前記可変利得を調整する利得調整部と、を有しており、
前記Ａ／Ｄ変換におけるサンプリング周波数と前記カウンタクロックのクロック周波数の比率を可変させること、
を特徴とする光ディスクシステムの信号処理装置。
【請求項２】
前記カウンタクロックのクロック周波数を、前記Ａ／Ｄ変換におけるサンプリング周波数と等しく設定すること、を特徴とする請求項１に記載の光ディスクシステムの信号処理装置。
【請求項３】
予め定められた前記Ａ／Ｄ変換におけるサンプリング周波数に対して、前記カウンタクロックのクロック周波数のみを可変させること、を特徴とする請求項１又は２に記載の光ディスクシステムの信号処理装置。
【請求項４】
前記信号処理装置は、光ディスクシステムを統括制御するマイクロコンピュータと接続されており、前記マイクロコンピュータによって可変なクロック周波数を有した前記カウンタクロックが前記利得調整部に供給されること、を特徴とする請求項３に記載の光ディスクシステムの信号処理装置。
【発明の詳細な説明】
【技術分野】
【０００１】
本発明は、光ディスクシステムの信号処理装置に関する。
【背景技術】
【０００２】
光ピックアップは、光源・レンズ・光検出器等を組み合わせた光学系を利用して、光ディスクへの情報の記録又は再生を行う装置である。この光ピックアップによって光ディスクから得られる信号（以下、『光検出信号』と称する。）は、光ディスクの反射率等の特性ばらつき、光ピックアップの光検出器を含めた光学系の製造ばらつき、記録・再生・消去の動作モードの違いに基づく光量変化等によってレベル変動が生じ得る。このため、光ディスク記録又は再生を行う光ディスクシステムでは、通常、光検出信号のレベルを所定の基準レベルへと一致させるべくＡＧＣ（Auto Gain Control）回路（例えば、以下に示す特許文献１参照。）が設けられる。
【０００３】
図７は、従来のＡＧＣ回路４０を有する光ディスクシステムの構成を示す図である。光ディスク１０上に記録された情報が光ピックアップ２０によってレーザ光の戻り光として読み出され、さらに光電変換することによって光検出信号が得られる。この光検出信号は、ＤＳＰ５０における様々な光ディスク再生処理（デコード処理、サーボ処理等）を行うための信号源となり、この光検出信号からはＲＦ信号、ＦＥ（Focus Error）信号、ＴＥ(Tracking Error)信号等が生成されることとなる。
【０００４】
なお、光ピックアップ２０によって検出された段階での光検出信号のレベルは微小であるため、前段増幅器３０によって後段のＤＳＰ（Digital Signal Processor）５０等が取り扱い可能なレベルにまで増幅される。そして、前段増幅器３０によって増幅された光検出信号がＡＧＣ回路４０へと供給されてレベル変動が吸収される。この結果、略一定なレベルに安定化した光検出信号がＤＳＰ５０へと供給され、光ディスク１０に応じたデコード処理が施された後に、スピーカ６０等へ再生信号（オーディオ信号、ＣＤ−ＲＯＭ信号、ビデオ信号等）が出力されるのである。
【０００５】
なお、ＡＧＣ回路４０は、制御電圧に応じた可変利得によって光検出信号を増幅又は減衰するＶＣＡ（Voltage Control Amplifier）４１と、ＶＣＡ４１の出力を検波する検波器４２と、検波器４２において検波されたＶＣＡ４１の出力を所定の基準レベルへと一致させるべくＶＣＡ４１への制御電圧を生成してＶＣＡ４１へと供給するＶＣＡ制御回路４３と、を有したアナログ回路によって構成される。また、ＶＣＡ制御回路４３における基準レベルは、通常、電源電圧ＶＣＣを所定分圧した内部生成電圧が用いられる。
【特許文献１】特許第３２７２００３号
【発明の開示】
【発明が解決しようとする課題】
【０００６】
ところで、図７に示したＡＧＣ回路４０のような光検出信号のレベルを安定化させる従来の仕組みでは、光ディスクや光ピックアップの環境条件等による特性ばらつきや、光ディスク上の汚れや傷などによる反射光量の変化など、様々なノイズ要因によって光検出信号の予期せぬレベル変動が生じ得る。しかし、従来の仕組みでは、アナログ回路構成によって仕様が固定された状態にあるため、光検出信号の予期せぬレベル変動に対処できる程の柔軟性に乏しく、この結果として、光検出信号を用いた光ディスク再生処理が適切に行えないという課題を生じていた。
【課題を解決するための手段】
【０００７】
前述した課題を解決するための主たる本発明は、アナログ信号処理部とデジタル信号処理部とを有した光ディスクシステムの信号処理装置において、前記アナログ信号処理部は、光ディスクから得られる再生処理を行うための光検出信号のレベルを、所定の基準レベルへと一致させるべく可変利得に基づいて増幅する利得可変増幅部を有しており、前記デジタル信号処理部は、前記利得可変増幅部により増幅された光検出信号をサンプリングしてＡ／Ｄ変換を行うＡ／Ｄ変換部と、前記Ａ／Ｄ変換後の光検出信号のレベルと前記基準レベルとの比較を行う比較部と、前記比較の結果に応じてカウンタクロックをもとにカウントアップ又はカウントダウンを行うカウンタによって構成され、前記カウンタのカウント値に基づいて前記可変利得を調整する利得調整部と、を有しており、前記Ａ／Ｄ変換におけるサンプリング周波数と前記カウンタクロックのクロック周波数の比率を可変させること、とする。
【発明の効果】
【０００８】
本発明によれば、光ディスク再生処理に適した光ディスクシステムの信号処理装置を提供することができる。
【発明を実施するための最良の形態】
【０００９】
＜光ディスクシステム＞
図１をもとに、本発明の一実施形態にかかる光ディスクシステムの構成／動作を説明する。  
ＣＤ規格（ＣＤ−ＲＯＭ、ＣＤ−Ｒ／ＲＷ等）やＤＶＤ規格（ＤＶＤ±Ｒ／ＲＷ、ＤＶＤ−ＲＡＭ）等に準拠した光ディスク１０に対して記録／再生を行う光ディスクシステムは、光ピックアップ２０と、光ディスク用信号処理ＬＳＩ７０と、マイクロコンピュータ（以下、マイコンと称する。）２００と、フォーカス／トラッキング／スピンドル等の各種サーボ制御用アクチュエータ及びそのドライバ回路（いずれも不図示）と、スピーカ６０等の再生出力装置、によって構成される。
【００１０】
光ピックアップ２０は、光源・レンズ・光検出器等を組み合わせた光学系を利用して、光ディスク１０への情報の記録／再生を行う装置である。この光ピックアップ２０によって、光ディスク１０上に記録された情報がレーザ光の戻り光として読み出され、さらに光電変換することによって光検出信号が得られる。なお、この光検出信号は、デジタル信号処理部９０における様々な再生系のデジタル処理を行うための信号源となり、この光検出信号からＲＦ信号、ＦＥ信号、ＴＥ信号等が生成される。
【００１１】
マイコン２００は、光ディスクシステム全体の制御を司るものである。マイコン２００は、特に、ＶＣＡ８２出力の安定化の判定基準となる基準レベルを格納する基準レベル・レジスタ２０１と、光ディスク用信号処理ＬＳＩ７０における各種タイミングを制御するためのタイミング制御部２０２、を有する。
【００１２】
なお、タイミング制御部２０２において制御される光ディスク用信号処理ＬＳＩ７０内部のタイミング信号の例としては、ＶＣＡ８２への制御電圧を生成すべくＶＣＡ制御部９５に供給されるカウンタクロックや、Ａ／Ｄ変換部９４におけるサンプリングを制御するためのＡ／Ｄサンプリング制御信号や、Ｄ／Ａ変換部９３におけるサンプリングを制御するためのＤ／Ａサンプリング制御信号等、とする。すなわち、タイミング制御部２０２は、前述したようなタイミング信号を制御するための情報（以下、タイミング制御情報と称する。）を、マイコンインタフェース部９７を介してタイミング信号生成部９６へと供給するのである。
【００１３】
光ディスク用信号処理ＬＳＩ７０は、アナログ信号処理部８０及びデジタル信号処理部９０をＣＭＯＳプロセス技術によって１チップのＣＭＯＳデバイスに集積化した集積回路のことである。なお、アナログ信号処理部８０とデジタル信号処理部９０をそれぞれ別個のチップとして実施してもよいが、図１に示すように１チップ化することによって、低消費電力化、チップ面積の削減、コストダウン等が図られる。
【００１４】
アナログ信号処理部８０は、光ピックアップ２０において検出された光検出信号の波形整形や、光ピックアップ２０のレーザ発光出力のＡＰＣ（Automatic Power Control）等といったアナログ信号処理を行う。なお、図１に示すアナログ信号処理部８０は、特に、光検出信号のレベル変動を補償（吸収）するための仕組みとして、前段増幅部８１、ＶＣＡ８２、ピークレベル検出部８３、デコーダ８４、を有することとする。
【００１５】
前段増幅部８１は、光ピックアップ２０とＶＣＡ８２との間、すなわちＶＣＡ８２の前段に設けられ、光ピックアップ２０によって光ディスク１０から得られる光検出信号のレベルを、光ディスク用信号処理ＬＳＩ７０が取り扱い可能なレベルにまで増幅するものである。  
ＶＣＡ８２は、制御電圧に応じた可変利得によって光検出信号のレベルを増幅又は減衰する。なお、ＶＣＡ８２は本発明に係る『利得可変増幅部』の一実施形態である。  
ピークレベル検出部８３は、ＶＣＡ８２出力のピークレベルを検出する。なお、ピークレベル検出部８３以外にも、ＶＣＡ８２出力のボトムレベルを検出する仕組みや、ＶＣＡ８２出力のピークレベルからボトムレベルでの差分レベルである波高レベルを検出する仕組みを採用しても勿論よい。  
デコーダ８４は、ＶＣＡ制御部９５から出力される制御信号をデコードして、ＶＣＡ８２を制御するための制御電圧を生成するものである。
【００１６】
デジタル信号処理部９０は、ＥＦＭ又はＥＦＭＰＬＵＳ復調や誤り訂正等のデコード処理やフォーカス／トラッキング等のサーボ制御等といった再生系のデジタル信号処理や、ＥＦＭ変調や誤り訂正符号化等のエンコード処理やライトストラテジ制御等といった記録系のデジタル信号処理を行う。なお、デジタル信号処理部９０の機能は、所謂ＤＳＰのハードウェアや、ＤＳＰのＭＡＣ（Multiply and Accumulation）を利用したＤＳＰ専用プログラムとして実施される。
【００１７】
デジタル信号処理部９０は、特に、再生系のデジタル信号処理を行う仕組みとして、波形整形部９１、デコード処理部９２、Ｄ／Ａ変換部９３を有しており、光検出信号のレベル変動を吸収するための仕組みとして、Ａ／Ｄ変換部９４、ＶＣＡ制御部９５を有しており、さらに、タイミング信号生成部９６、マイコン２００との信号の授受を行うマイコンインタフェース部９７、を有することとする。
【００１８】
まず、デジタル信号処理部９０における再生系のデジタル信号処理を行う仕組みについて説明する。波形整形部９１は、ＶＣＡ８２出力を２値化することによってＥＦＭ又はＥＦＭＰＬＵＳ信号へと変換する。デコード処理部９２は、ＥＦＭ又はＥＦＭＰＬＵＳ信号に対して光ディスク１０の規格に応じた所定のデコード処理を施す。このデコード処理によって得られる再生信号として、例えば、Ｌｃｈ／Ｒｃｈのオーディオ信号が、Ｄ／Ａ変換部９３によってアナログ信号へ変換されてスピーカ６０へと出力される。
【００１９】
つぎに、デジタル信号処理部９０における光検出信号のレベル変動を吸収するための仕組みについて説明する。まず、ＶＣＡ制御部９５では、マイコン２００によって基準レベルが予め設定された場合とする。また、Ａ／Ｄ変換部９４では、ピークレベル検出部８３において検出されたＶＣＡ８２出力のピークレベルが、マイコン２００から供給されたＡ／Ｄサンプリング制御信号に基づいてサンプリングされるとともに、所定の量子化数に基づいて量子化が行われることとなる。なお、以下の説明では、特に断らない限り、「ＶＣＡ８２出力のピークレベル」とは、Ａ／Ｄ変換部９４においてサンプリング及び量子化された後のＶＣＡ８２出力のピークレベルのこととする。
【００２０】
ここで、ＶＣＡ制御部９５は、ＶＣＡ８２出力のピークレベルが基準レベル以下であるときにはＶＣＡ８２に供給する制御電圧を１ステップ上昇させ、ＶＣＡ８２出力のピークレベルが基準レベルを超えるときにはＶＣＡ８２に供給する制御電圧を１ステップ降下させる。このようなＶＣＡ制御を繰り返し行うことによって、光検出信号のレベル変動が吸収されるのである。
【００２１】
つぎに、タイミング信号生成部９６について説明する。タイミング信号生成部９６は、マイコン２００からマイコンインタフェース部９７を介して供給されたタイミング制御情報に基づいて光ディスク用信号処理ＬＳＩ７０内部の各種タイミング信号を生成するものである。なお、タイミング信号生成部９６において生成されるタイミング信号としては、前述したように、ＶＣＡ制御部９５へと供給されるカウンタクロック、Ａ／Ｄ変換部９４におけるサンプリングを制御するためのＡ／Ｄサンプリング制御信号等である。
【００２２】
ここで、タイミング信号生成部９６において生成されるカウンタクロックとしては、予め定められた複数のカウンタ周波数のいずれか一つが任意に設定されることとする。この場合、タイミング信号生成部９６は、例えば、電圧制御発振器と、分周数を設定可能な分周器と、位相比較器等によって構成される周知なＰＬＬ回路によって構成され、ＰＬＬ回路の電圧制御発振器の発振出力からカウンタクロックが得られることとなる。すなわち、ＰＬＬ回路の分周器における分周数を可変させることで、カウンタクロックのクロック周波数（以下、カウンタクロック周波数と称する。）を任意に設定することができるのである。
【００２３】
また、タイミング信号生成部９６において生成されるＡ／Ｄサンプリング制御信号としては、所定のサンプリング周波数が任意に設定されることとする。
【００２４】
＜ＶＣＡ制御部＞
図３を適宜参照しつつ、図２をもとに、本発明の一実施形態に係るＶＣＡ制御部９５の構成／動作について説明する。なお、ＶＣＡ制御部９５は本発明に係る『利得調整部』の一実施形態である
図２に示すように、ＶＣＡ制御部９５は、比較部９５１、カウンタ９５２によって構成される。  
比較部９５１は、Ａ／Ｄ変換部９４から供給されたＶＣＡ８２出力のピークレベルと、マイコン２００からマイコンインタフェース部９７を介して供給された基準レベルと、の比較を行う。比較部９５１は、図３に示すように、ＶＣＡ８２出力のピークレベルが基準レベル以下である場合にはカウンタ９５２をカウントアップモードとさせるためのＨレベルを出力する。一方、ＶＣＡ８２出力のピークレベルが基準レベルを超える場合にはカウンタ９５２をカウントダウンモードとさせるためのＬレベルを出力する。  
カウンタ９５２は、アップ／ダウンカウンタによって構成されており、比較部９５１出力を入力するためのＵ／Ｄ端子、タイミング信号生成部９６から出力されたカウンタクロックを入力するためのＣＬＫ端子、カウントアップ／ダウンさせたカウント値を出力するためのＱ端子を有する。  
カウンタ９５２は、図３に示すように、比較部９５１の出力に基づいて、カウントアップ／カウントダウンのいずれかの動作モードとなる。すなわち、カウンタ９５２は、比較部９５１の出力がＬレベルの場合にはカウントダウンを行い、比較部９５１の出力がＨレベルの場合にはカウントアップを行う。
【００２５】
＜カウンタクロック周波数とサンプリング周波数の関係＞
本発明では、例えば、マイコン２００のタイミング制御部２０２によって、カウンタ９５２におけるカウンタクロック周波数とＡ／Ｄ変換部９４におけるサンプリング周波数との比率を任意に可変させることとする。この場合の光ディスク用信号処理ＬＳＩ７０の動作について、図４、図５、図６に示す具体例をもとに説明する。
【００２６】
なお、図４はカウンタクロック周波数をサンプリング周波数と等しく設定した場合であり、図５はカウンタクロック周波数をサンプリング周波数より低い周波数に設定した場合であり、図６はカウンタクロック周波数をサンプリング周波数より高い周波数に設定した場合である。また、図４、図５、図６の図中において、（ａ）はピークレベル検出部８３の出力波形、（ｂ）はＡ／Ｄ変換部９４のサンプリング制御信号の波形、（ｃ）は比較部９５１の出力波形、（ｄ）はカウンタ９５２のカウンタクロックの波形、（ｅ）はカウンタ９５２の出力波形を示すこととする。
【００２７】
＜＜カウンタクロック周波数  ＝  サンプリング周波数＞＞
図４をもとに、カウンタクロック周波数をサンプリング周波数と等しく設定した場合を説明する。
【００２８】
光ピックアップ２０によって光ディスク１０から情報が読み出された信号のＶＣＡ８２出力のピークレベルが“Ａ”だったとする。このとき、ＶＣＡ制御が開始すると、ピークレベル検出部８３において検出されるＶＣＡ８２出力のピークレベルが段階的に上昇し始める。このとき、Ａ／Ｄ変換部９４では、ＶＣＡ８２出力のピークレベルが、Ａ／Ｄサンプリング制御信号によって定まるサンプリングポイント毎にサンプリング及び量子化が行われる。また、比較部９５１では、Ａ／Ｄ変換部９４と同期して、当該サンプリングポイント毎にＶＣＡ８２出力のピークレベルと基準レベルとの比較が行われる。
【００２９】
カウンタ９５２では、比較部９５１における比較結果に基づいて、各サンプリングポイントから若干位相が遅れたサンプリング周波数と同一周波数のカウンタクロックによってカウントアップ又はカウントダウンが行われる。なお、カウンタ９５２をＡ／Ｄ変換部９４及び比較部９５１と同期させる、すなわちカウンタクロックとＡ／Ｄサンプリング制御信号の位相を確実に合わせるべく調整してもよい。このことによって、ＶＣＡ制御による光検出信号のレベル変化の応答性が向上することとなる。
【００３０】
ところで、サンプリングポイントＡ〜Ｄでは、ＶＣＡ８２出力のサンプリングされたピークレベルが基準レベル以下であるため、比較部９５１出力はＨレベルを継続する。すなわち、サンプリングポイントＡ〜Ｄにおけるサンプリングでは、カウンタ９５２のカウント値がカウンタクロックによってカウントアップを継続することとなる。
【００３１】
サンプリングポイントＥでは、ＶＣＡ８２出力のサンプリングされたピークレベルが基準レベルを超えるため、比較部９５１の出力がＨレベルからＬレベルへと切り替わり、当該サンプリング周期内のカウンタクロックによってカウンタ９５２のカウント値がカウントダウンする。サンプリングポイントＦでは、ＶＣＡ８２出力のサンプリングされたピークレベルが基準レベル以下となるため、比較部９５１の出力がＬレベルからＨレベルへと切り替わり、当該サンプリング周期内のカウンタクロックによってカウンタ９５２のカウント値がカウントアップする。
【００３２】
サンプリングポイントＧでは、ＶＣＡ８２出力のサンプリングされたピークレベルが基準レベルを超えるため、比較部９５１の出力がＨレベルからＬレベルへと切り替わり、当該サンプリング周期内のカウンタクロックによってカウンタ９５２のカウント値がカウントダウンする。以後、ＶＣＡ８２出力のサンプリングされたピークレベルが基準レベルを超えた状態を継続するため、カウンタクロックによるカウンタ９５２のカウント値のカウントダウンが継続することとなる。
【００３３】
＜＜カウンタクロック周波数  ＜  サンプリング周波数＞＞
図５をもとに、カウンタクロック周波数をサンプリング周波数より低い周波数に設定した場合の例として、カウンタクロック周波数をサンプリング周波数の「１／２倍」に設定した場合について説明する。
【００３４】
図５に示すように、カウンタクロック周波数をサンプリング周波数の「１／２倍」に設定した場合、Ａ／Ｄ変換部９４における「２回」のサンプリングに対して、カウンタ９５２においてカウントアップ又はカウントダウンが「１回」しか行われないこととなる。このため、カウンタクロック周波数をサンプリング周波数と等しく設定した場合と比較すると、ＶＣＡ制御による光検出信号のレベル変化の応答性は遅くなる。
【００３５】
そこで、例えば、ノイズに起因して光検出信号のピークレベルが突発的であり急峻なパルス状の変化を生じる場合には、カウンタクロック周波数をサンプリング周波数より低い周波数へと意図的に設定することが好ましい。すなわち、ＶＣＡ８２出力のノイズに起因したピークレベルに基づいてカウンタ９５２が動作する機会、すなわちノイズに追従してＶＣＡ制御が行われる機会が減少するのである。
【００３６】
＜＜カウンタクロック周波数  ＞  サンプリング周波数＞＞
図６をもとに、カウンタクロック周波数をサンプリング周波数より高い周波数に設定した場合の例として、カウンタクロック周波数をサンプリング周波数の「２倍」に設定した場合について説明する。
【００３７】
図６に示すように、カウンタクロック周波数をサンプリング周波数の「２倍」に設定した場合、Ａ／Ｄ変換部９４における「１回」のサンプリングに対して、カウンタ９５２においてカウントアップ又はカウントダウンが「２回」も行われることとなる。つまり、カウンタ９５２のカウント値の変化量、ひいてはカウンタ９５２のカウント値に基づいてＶＣＡ８２に供給される制御電圧の変化量が「２倍」となる。また、言い換えると、カウンタクロック周波数をサンプリング周波数と等しく設定した場合と比較して、ＶＣＡ制御における光検出信号のレベル調整の分解能が「１／２倍」となる。
【００３８】
すなわち、カウンタクロック周波数をサンプリング周波数と等しく設定した場合と比較すると、ＶＣＡ制御による光検出信号のレベル設定精度は悪化し、且つ、ＶＣＡ制御による光検出信号のレベル変化の応答性は速くなるのである。そこで、例えば、ＶＣＡ制御を開始した時点において、光検出信号のレベル設定精度は無視し、光検出信号のレベルを急速に目的とする基準レベルへと近づけたい場合には、カウンタクロック周波数をサンプリング周波数より高い周波数へと意図的に設定することが好ましいのである。
【００３９】
＜効果の実例＞
前述した実施形態において、カウンタクロック周波数とサンプリング周波数の比率を可変させるという単純な仕組みによって、例えば、カウンタクロック周波数をサンプリング周波数より低い周波数に設定する場合に、ＶＣＡ制御による光検出信号のレベル変化の応答性を意図的に遅くすることができ、逆に、カウンタクロック周波数をサンプリング周波数より高い周波数に設定する場合、ＶＣＡ制御による光検出信号のレベル設定の精度を意図的に悪くすることができる。すなわち、カウンタクロック周波数とサンプリング周波数の比率を可変させることで、ＶＣＡ制御による光検出信号のレベル変化の振る舞いを意図的に可変させることができる。また、この結果として、ＶＣＡ制御による光検出信号のレベル調整の柔軟性を向上させるとともに、ＶＣＡ制御による光検出信号のレベル調整を適切且つ容易に行うことができる。
【００４０】
また、前述した実施形態において、カウンタクロック周波数をサンプリング周波数と等しく設定することによって、ＶＣＡ８２において、光検出信号のレベル設定精度とレベル変化の応答性をバランスよく且つ容易に向上させることができる。
【００４１】
また、前述した実施形態において、カウンタクロック周波数のみを可変させる仕組みを採用することによって、サンプリング周波数とカウンタクロック周波数の比率の調整を容易に実現することができる。
【００４２】
また、前述した実施形態において、マイコン２００のタイミング制御部２０２によって、光ディスクシステムの仕様に応じた適切なカウンタクロック周波数を容易に設定することができる。
【００４３】
以上、本実施の形態について説明したが、前述した実施例は、本発明の理解を容易にするためのものであり、本発明を限定して解釈するためのものではない。本発明は、その趣旨を逸脱することなく、変更／改良され得るととともに、本発明にはその等価物も含まれる。
【図面の簡単な説明】
【００４４】
【図１】本発明の一実施形態にかかる光ディスクシステムの構成を示す図である。
【図２】本発明の一実施形態にかかるＶＣＡ制御部の構成を示す図である。
【図３】本発明の一実施形態にかかるＶＣＡ制御部の動作を説明するための図である。
【図４】本発明の一実施形態にかかるデジタル信号処理部の動作を説明するための図である。
【図５】本発明の一実施形態にかかるデジタル信号処理部の動作を説明するための図である。
【図６】本発明の一実施形態にかかるデジタル信号処理部の動作を説明するための図である。
【図７】従来の光ディスクシステムの構成を示す図である。
【符号の説明】
【００４５】
１０  光ディスク                      ２０  光ピックアップ
３０  前段増幅器                      ４０  ＡＧＣ回路
４１  ＶＣＡ                          ４２  検波器
４３  ＶＣＡ制御回路                  ５０  ＤＳＰ
６０  スピーカ                        ７０  光ディスク用信号処理ＬＳＩ
８０  アナログ信号処理部              ８１  前段増幅部
８２  ＶＣＡ                          ８３  ピークレベル検出部
８４  デコーダ                        ９０  デジタル信号処理部
９１  波形整形部                      ９２  デコード処理部
９３  Ｄ／Ａ変換部                    ９４  Ａ／Ｄ変換部
９５  ＶＣＡ制御部
９５１  比較部                        ９５２  カウンタ
９６  タイミング信号生成部            ９７  マイコンインタフェース部
２００  マイコン                      ２０１  基準レベル・レジスタ
２０２  タイミング制御部
【図１】
2006024272.tif 000003
【図２】
2006024272.tif 000004
【図３】
2006024272.tif 000005
【図４】
2006024272.tif 000006
【図５】
2006024272.tif 000007
【図６】
2006024272.tif 000008
【図７】
2006024272.tif 000009